(57)【要約】【課題】外装体が柔軟で、物品縦方向に沿う形状の変形性及び厚み方向の変形性に優れ、着用者が動き易く肌触りにも優れており、履き心地に優れるパンツ型吸収性物品の提供。【解決手段】本発明のパンツ型吸収性物品１は、外装体２と、該外装体に固定されている吸収性本体とを具備する。外装体２は、着用者の肌から遠い側に配される外層シートと、外層シートよりも着用者の肌に近い側に配される内層シートと、その間に配された複数本の弾性部材２４とを有する伸縮部を備え、該伸縮部においては、外層シートと内層シートとの間が、物品縦方向Ｘに沿う接合部列２６Ｓが複数列形成されるように配置された接合部２６において接合され、複数本の弾性部材２４が、それぞれ、物品縦方向Ｘに隣り合う接合部２６どうしの間を通って物品横方向Ｙに配設されており、接合部２６それぞれが、相互間に隙間ｍを開けて物品縦方向Ｘに並んだ一対の融着部ｕ，ｄからなる。【選択図】図３
2015112414.tif 000002
【特許請求の範囲】
【請求項１】
外装体と、該外装体に固定されている吸収性本体とを具備し、
前記外装体は、着用時に、着用者の腹側に配される腹側部と、着用者の背側に配される背側部とを有するパンツ型吸収性物品であって、
前記パンツ型吸収性物品は縦方向と横方向を有しており、
腹側部及び背側部の少なくとも一方における外装体は、着用者の肌から遠い側に配される外層シートと、該外層シートよりも着用者の肌に近い側に配される内層シートと、その間に配された複数本の弾性部材とを有する伸縮部を備え、
前記伸縮部においては、前記外層シートと前記内層シートとの間が、物品縦方向に沿う接合部列が複数列形成されるように配置された接合部において接合され、複数本の前記弾性部材が、それぞれ、物品縦方向に隣り合う接合部どうしの間を通って物品横方向に配設されており、
前記接合部それぞれが、相互間に隙間を開けて物品縦方向に並んだ複数の融着部からなる、パンツ型吸収性物品。
【請求項２】
前記接合部のそれぞれが、相互間に隙間を開けて物品縦方向に並んだ一対の融着部からなる、請求項１に記載のパンツ型吸収性物品。
【請求項３】
物品縦方向において、前記接合部の前記隙間の長さは、物品縦方向に隣り合う接合部どうし間の距離未満である、請求項１又は２に記載のパンツ型吸収性物品。
【請求項４】
隣り合う弾性部材間の複数の前記融着部の物品縦方向の合計長さが、隣り合う弾性部材間の複数の前記融着部の物品縦方向の端部間距離の９０％以下である、請求項１〜３の何れか１項に記載のパンツ型吸収性物品。
【発明の詳細な説明】
【技術分野】
【０００１】
本発明は、パンツ型吸収性物品に関する。
【背景技術】
【０００２】
従来、外装体と、該外装体に固定されている吸収性本体とを具備するパンツ型使い捨ておむつであって、着用者に対するおむつのフィット性を向上させること等を目的に、腹側部及び背側部におけるウエスト開口部の周縁部やそれより下方に、弾性部材をおむつの横方向に配してギャザーが形成されるようにしたものが知られている。
また、そのようなギャザー形成用の弾性部材を、その全体又は一部が、弾性部材を挟む２枚のシートの一方又は双方に固着されないように配した使い捨ておむつも提案されている。
【０００３】
例えば、本出願人は、先に、外装体を構成する２枚のシートどうし間を、おむつの縦方向及び横方向に散点状に形成した接合部において接合する一方、その２枚のシート間に、ギャザー形成用の弾性部材を、接合部を通らないように配した使い捨ておむつ等の吸収性物品を提案している（特許文献１，２参照）。
【先行技術文献】
【特許文献】
【０００４】
【特許文献１】特開２００８−１３１９６８号公報
【特許文献２】特開２０１３−１１６１９６号公報
【発明の概要】
【発明が解決しようとする課題】
【０００５】
ギャザー形成用の弾性部材を、全体又は一部が、その弾性部材を挟む２枚のシートに固着されないように配することによって、外装体の柔軟性や感触を高めたりすることができる。また、引用文献１，２の技術によれば、弾性部材の収縮によって弾性部材を挟む２枚のシートが柔軟性に優れる襞を形成するため、外装体の柔軟性や感触を向上させることができ、またムレ防止性等を向上させることができる。
【０００６】
しかし、使い捨ておむつ等の商品に要求される性能は年々高まっており、柔軟性や履き心地を一層向上させたパンツ型吸収性物品の提供が望まれる。
【０００７】
従って、本発明は、柔軟性や履き心地が一層向上したパンツ型吸収性物品に関する。
【０００８】
本発明は、外装体と、該外装体に固定されている吸収性本体とを具備し、前記外装体は、着用時に、着用者の腹側に配される腹側部と、着用者の背側に配される背側部とを有するパンツ型吸収性物品であって、前記パンツ型吸収性物品は縦方向と横方向を有しており、腹側部及び背側部の少なくとも一方における外装体は、着用者の肌から遠い側に配される外層シートと、該外層シートよりも着用者の肌に近い側に配される内層シートと、その間に配された複数本の弾性部材とを有する伸縮部を備え、前記伸縮部においては、前記外層シートと前記内層シートとの間が、物品縦方向に沿う接合部列が複数列形成されるように配置された接合部において接合され、複数本の前記弾性部材が、それぞれ、物品縦方向に隣り合う接合部どうしの間を通って物品横方向に配設されており、前記接合部それぞれが、相互間に隙間を開けて物品縦方向に並んだ複数の融着部からなる、パンツ型吸収性物品を提供するものである。
【発明の効果】
【０００９】
本発明のパンツ型吸収性物品は、外装体が柔軟で、物品縦方向に沿う形状の変形性及び厚み方向の変形性に優れ、着用者が動き易く肌触りにも優れており、履き心地が良い。
【図面の簡単な説明】
【００１０】
【図１】図１は、本発明の一実施形態であるパンツ型使い捨ておむつの使用状態（着用状態）を示す斜視図である。
【図２】図２は、図１に示すおむつを展開して引き伸ばした状態を肌当接面側から展開平面図である。
【図３】図３は、図１に示すおむつの接合部列及びその接合部列を構成する接合部を拡大して示す拡大平面図である。
【図４】図４は、接合部の物品縦方向及び物品横方向の長さの説明図である。
【図５】図５は、図１に示すおむつにおけるウエスト伸縮部の物品横方向に沿う断面を示す拡大断面図である。
【図６】図６は、図１に示すおむつにおける胴回り下部伸縮部の物品横方向に沿う断面を示す拡大断面図である。
【発明を実施するための形態】
【００１１】
以下に、本発明のパンツ型吸収性物品をその好ましい実施形態に基づき図面を参照しながら説明する。
本発明の一実施形態であるパンツ型使い捨ておむつ１について、図１〜図３を参照しつつ説明する。図１に示すように、本実施形態のパンツ型使い捨ておむつ１は、外装体２と、該外装体２に固定されている吸収性本体３とを具備する。また、外装体２は、着用時に、着用者の腹側に配される腹側部Ａと、着用者の背側に配される背側部Ｂとを有しており、腹側部Ａにおける物品横方向Ｙの両端部と背側部Ｂにおける物品横方向Ｙの両端部とが接合されて一対のサイドシール部４，４が形成されている。また、この接合によって、ウエスト開口部５及び一対のレッグ開口部６が形成されている。おむつ１は、腹側部Ａと背側部との間に、着用者の股間に配される股下部Ｃを有している。
【００１２】
本実施形態のおむつ１における外装体２は、図２に示すように、腹側部Ａを形成する腹側シート部材２Ａと、背側部Ｂを形成する背側シート部材２Ｂとに分割されており、一対のサイドシール部４，４においては、腹側シート部材２Ａと背側シート部材２Ｂとが接合されている。吸収性本体３は、腹側シート部材２Ａと背側シート部材２Ｂとの間に架け渡すように固定されている。吸収性本体３は、腹側シート部材２Ａ及び背側シート部材２Ｂのそれぞれと重なる部分が、接着剤等の公知の接合手段により、全面的又は部分的に、両シート部材２Ａ，２Ｂと接合されている。
外装体２の腹側部Ａと背側部Ｂとは、腹側又は背側シート部材における物品横方向Ｙの両端に、腹側部Ａと背側部Ｂとの間が接合されていない細幅の領域、例えば１０ｍｍ以下の領域を有していても良く、その場合も、腹側部Ａと背側部Ｂとが物品横方向Ｙの両端部において接合されている場合に含まれる。
【００１３】
本実施形態のおむつ１は、図２に示すように、物品縦方向Ｘに延びる物品縦方向中心線ＣＬに対して左右対称に形成されている。したがって以下の説明では、左右対称な部分については、主として図２中の右側について説明するが、左側も、右側と左右対称である点を除いて同様の構成を有している。
なお、物品縦方向Ｘは、着用者の腹側に配される部分から股間に配される部分を経て背側に配される部分に至る方向であり、通常、吸収性本体３の長手方向と一致している。他方、物品横方向Ｙは、図２に示すように、おむつを展開して引き伸ばした状態において、物品縦方向Ｘと直交する方向であり、また、図１に示すように、腹側部Ａと背側部Ｂとが連結されて形成された筒状の胴回り部Ｄにおいては、その周方向と一致する。また、物品縦方向Ｘは、腹側部Ａ及び背側部Ｂにおいて着用時の上下方向であるため、腹側部Ａ及び背側部Ｂそれぞれにおいて、ウエスト開口部５側を上側又は上方、股下部Ｃ側を下側又は下方ともいう。
【００１４】
本実施形態のおむつ１において、外装体２を構成する腹側シート部材２Ａ及び背側シート部材２Ｂは、それぞれ、図２に示すように、おむつの外面をなす外層シート２２と、外層シート２２の内面側に配された内層シート２３と、両シート２２，２３間に伸長状態で配された複数本の糸状の弾性部材２４とを備えており、それぞれ、ウエスト伸縮部Ｇ１及び胴回り下部伸縮部Ｇ２を有している。本実施形態のおむつ１においては、おむつの外面をなす外層シート２２が、着用者の肌から遠い側に配される外層シートであり、内層シート２３が、外装体２において、外層シートよりも着用者の肌に近い側に配される内層シートである。
【００１５】
ウエスト伸縮部Ｇ１は、おむつ１の縦方向Ｘにおいて、吸収性本体３の長手方向の両端３ａ，３ｂそれぞれの外方に形成されている。胴回り下部伸縮部Ｇ２は、腹側シート部材２Ａ及び背側シート部材２Ｂのそれぞれにおいて、ウエスト伸縮部Ｇ１より下方であってサイドシール部４の下端より上方に形成されている。ウエスト伸縮部Ｇ１及び胴回り下部伸縮部Ｇ２においては、外層シート２２と内層シート２３との間が、散点状に形成された多数の接合部２６において接合されている。
【００１６】
より詳細には、図２に示すように、腹側シート部材２Ａ及び背側シート部材２Ｂのそれぞれにおけるウエスト伸縮部Ｇ１には、外層シート２２と内層シート２３とが融着した接合部２６が、物品縦方向Ｘに沿って一列をなすように間欠的に形成されており、その複数の接合部２６からなる接合部列２６Ｓが、物品横方向Ｙに間隔を開けて複数列形成されている。
また、腹側シート部材２Ａ及び背側シート部材２Ｂのそれぞれにおける胴回り下部伸縮部Ｇ２にも、外層シート２２と内層シート２３とが融着した接合部２６が、物品縦方向Ｘに沿って一列をなすように間欠的に形成されており、複数の接合部２６からなる接合部列２６Ｐが、物品横方向Ｙに間隔を開けて複数列形成されている。
腹側シート部材２Ａ及び背側シート部材２Ｂそれぞれにおける、物品側方域Ｓ，Ｓにおいては、ウエスト伸縮部Ｇ１の接合部列２６Ｓと、胴回り下部伸縮部Ｇ２の接合部列２６Ｐとが、物品縦方向Ｘに連続する一列を形成している。物品側方域Ｓ，Ｓは、吸収性本体３の両側縁３ｃ，３ｃの位置より物品横方向Ｙの外方に位置する領域である。
【００１７】
本実施形態のおむつ１のウエスト伸縮部Ｇ１においては、すべての接合部列２６Ｓについて、物品縦方向Ｘにおける接合部２６の位置が略一致している。そして、複数本の弾性部材２４が、それぞれ、複数の接合部列２６Ｓそれぞれの接合部どうし間の隙間を通って、物品横方向Ｙに延びるように配されている。それらの複数の弾性部材２４は、何れも、外層シート２２と内層シート２３との間に配されている。
同様に、胴回り下部伸縮部Ｇ２，Ｇ２においても、すべての接合部列２６Ｐについて、物品縦方向Ｘにおける接合部２６の位置が略一致している。そして、複数本の弾性部材２４が、それぞれ、複数の接合部列２６Ｐそれぞれの接合部どうし間の隙間を通って、物品横方向Ｙに延びている。それらの複数の弾性部材２４も、何れも、外層シート２２と内層シート２３との間に配されている。
【００１８】
本実施形態のおむつ１においては、図２に示すように、腹側シート部材２Ａ及び背側シート部材２Ｂは、何れも、物品縦方向中心線ＣＬの両側それぞれに、外層シート２２と内層シート２３との間が接着剤を介して接合された一対の外側固定領域２７を有しており、また、吸収性本体３の側縁３ｃの位置の近傍に、外層シート２２と内層シート２３との間が接着剤を介して接合された本体側固定領域２８を有している。
ウエスト伸縮部Ｇ１には、複数本の弾性部材２４が、一対の外側固定領域２７間に亘って配されており、それらの弾性部材２４は、一対の外側固定領域２７それぞれにおいてシート２２，２３間に固定されている一方、外側固定領域２７間においては、シート２２，２３の何れにも固定されていない。
他方、胴回り下部伸縮部Ｇ２には、複数本の弾性部材２４が、外側固定領域２７と本体側固定領域２８との間に亘って配されており、それらの弾性部材２４は、外側固定領域２７と本体側固定領域２８のそれぞれにおいてシート２２，２３間に固定されている一方、外側固定領域２７と本体側固定領域２８との間においては、シート２２，２３の何れにも固定されていない。
【００１９】
本体側固定領域２８は、図２に示すように、その全体が吸収性本体３と重なるように形成されていても良いが、吸収性本体３の側縁３ｃの内外に亘るように形成されていても良い。また、本体側固定領域２８は、吸収性本体３の側縁３ｃよりおむつ横方向の外方に形成されていても良い。なお、本体側固定領域２８の全体が吸収性本体３と重なっている態様には、本体側固定領域２８のおむつ横方向外側の端部の位置と吸収性本体３の側縁３ｃの位置とが一致する態様と、本体側固定領域２８が、吸収性本体３の側縁３ｃとの間に所定の間隔を設けて形成されている態様との両者が含まれる。
【００２０】
また、ウエスト伸縮部Ｇ１には、接合部列２６Ｓが、物品横方向Ｘに略等間隔に複数列形成されている。より具体的には、一方の外側固定領域２７の近傍から他方の外側固定領域２７の近傍に亘って略等間隔に多数配されている。胴回り下部伸縮部Ｇ２にも、接合部列２６Ｐが、一方の外側固定領域２７の近傍から他方の外側固定領域２７の近傍に亘って略等間隔に複数列形成されているが、一対の本体側固定領域２８間には、弾性部材２４が配されていないか、弾性部材２４が、切断等の弾性伸縮性を発現しないようにする処理を施された状態で配されている。
【００２１】
ウエスト伸縮部Ｇ１の接合部列２６Ｓ及び胴回り下部伸縮部Ｇ２の接合部列２６Ｐについて説明する。
接合部列２６Ｓ，２６Ｐを構成する接合部２６は、何れも、図３に示すように、相互間に隙間ｍを開けて物品縦方向Ｘに並んだ一対の融着部ｕ，ｄからなる。接合部２６は、平面視形状（隙間ｍを含めた全体形状）が物品縦方向Ｘに長い形状を有している。接合部２６は、弾性部材２４と交差して物品縦方向に延びる襞の形成性や、外装体の縦方向の柔軟性向上の観点から、物品縦方向Ｘの長さＬ１が、物品幅方向Ｙの長さＬ２の、好ましくは２倍以上、より好ましくは７倍以上であり、また好ましくは１０倍以下、より好ましくは９倍以下である。前記長さＬ１は、図４に示すように、接合部２６における最も上側の部位と最も下側の部位との間の、物品縦方向Ｘに沿う長さであり、前記長さＬ２は、接合部２６における物品幅方向Ｙの一方の端から他方の端との間の、物品幅方向Ｙに沿う長さである。
【００２２】
また、接合部２６を構成する個々の融着部ｕ，ｄも、それぞれ、物品縦方向Ｘに長い形状を有することが好ましい。個々の融着部ｕ，ｄは、弾性部材２４と交差して物品縦方向に連続して延びる襞の形成性等から、物品縦方向Ｘの長さＬ３が、物品幅方向Ｙの長さＬ４の、好ましくは１倍以上、より好ましくは２倍以上であり、また好ましくは４倍以下、より好ましくは５倍以下である。
【００２３】
また、物品縦方向Ｘにおいて、接合部２６の前記隙間ｍの長さＬ５（図５参照，融着部間の距離）は、物品縦方向Ｘに隣り合う接合部２６，２６どうし間の距離Ｌ６未満であることが好ましい。前記隙間ｍの長さＬ５を、前記距離Ｌ６未満とすることで、接合部２６，２６間に弾性部材２４が強固に固定されないことによる襞の柔軟性と、接合部列間に、弾性部材２４と交差して物品縦方向に連続して延びる襞の形成との両立が容易となる。同様の観点から、長さＬ５の前記距離Ｌ６に対する比率は、好ましくは４０％以下、より好ましくは３５％以下であり、また好ましくは２５％以上、より好ましくは３０％以上である。外装体２の柔軟性の向上の点から、接合部２６の隙間ｍの長さＬ５は、好ましくは０．５ｍｍ以上、より好ましくは１．０ｍｍ以上であり、好ましくは３．０ｍｍ以下、より好ましくは２．０ｍｍ以下である。
【００２４】
また、弾性部材２４と交差して物品縦方向に連続して延びる襞の形成性と外装体の縦方向の柔軟性向上の点から、隣り合う弾性部材間の複数の融着部ｕ，ｄの物品縦方向Ｘの合計長さ（Ｌ３＋Ｌ３）は、隣り合う弾性部材間の複数の融着部ｕ，ｄの物品縦方向Ｘの端部間距離Ｌ１の、好ましくは９０％以下、より好ましくは８０％以下であり、また好ましくは５０％以上、より好ましくは６０％以上であり、また好ましくは５０％以上９０％以下、より好ましくは６０％以上８０％以下である。
【００２５】
また、接合部２６の一対の融着部ｕ，ｄのそれぞれにおいては、外層シート２２及び／又は内層シート２３を構成するシート材の構成樹脂（構成繊維の熱融着性成分等）が溶融固化して両シート２２，２３間が結合している。他方、融着部ｕ，ｄの隙間ｍにおいては、両シート２２，２３間は融着されていないか、融着部ｕ，ｄよりも弱く融着されており、それによって、外装体２は、隙間ｍにおいて、融着部ｕ，ｄよりも、物品横方向Ｙに沿って延びる折り曲げ線に沿って外装体２を折り曲げる際の曲げ剛性が小さくなっている。それにより、外装体２は、物品縦方向Ｘにおける、接合部２６どうし間及び融着部ｕ，ｄの隙間ｍにおいて屈曲し易くなっている。
接合部２６は、外層シート２２と内層シート２３とを重ねて、その部分に、熱エンボス加工を施すことにより形成されている。熱エンボス装置としては、エンボスロールとアンビルロールとを備え、そのエンボスロールの外周面に、接合部２６の融着部ｕ，ｄに対応する形状の凸部を有するものを用いることができる。
【００２６】
また、前述したサイドシール部４は、接合部２６の形成後に、腹側部Ａ側の本体側固定領域２８と背側部Ｂ側の本体側固定領域２８とを重ねて、その部分に熱エンボス加工を施すことにより形成されている。接合部２６を形成する加工として、熱エンボス加工に代えて、超音波シール、レーザー等を採用することもでき、また、サイドシール部４を形成する加工として、熱エンボス加工に代えて、超音波シール、レーザー、接着剤等を採用することもできる。
【００２７】
吸収性本体３は、液透過性の表面シート３１、液難透過性の裏面シート３２及びそれらの間に配置された吸収体３３を有している。液難透過性は、液不透過性と液難透過性と包括する。また、吸収性本体３の両側部には、一対の立体ガード形成用シート３４，３４が配されている。立体ガード形成用シート３４は、物品縦方向中心線ＣＬ寄りの端縁近傍に、立体ガード形成用の弾性部材３５を有し、おむつの着用時には、その弾性部材３５の収縮力により、該端縁から所定幅の部分が表面シート３１から離間するように起立して立体ガード３４を形成する。
【００２８】
本実施形態のおむつ１のウエスト伸縮部Ｇ１においては、図５に示すように、外層シート２２と内層シート２３との間に伸長状態で配された弾性部材２４が収縮することにより、隣接する接合部列２６Ｓ間のシート２２及びシート２３が外方に膨らむように変形して、隣接する接合部列２６Ｓ間にシート２２又はシート２３，２２Ｒからなる襞２９が生じると共に、両シート２２，２３間には、襞２９と襞２９とに周囲を囲まれた中空部３０が形成される。
なお、本実施形態のおむつ１においては、腹側部Ａ及び背側部Ｂそれぞれにおける外層シート２２を構成するシート材が、ウエスト開口部５の周縁部５１に沿って内層シート２３の肌当接面側に折り返されており、その折り返し部分２２Ｒが、ウエスト伸縮部Ｇ１における内層シート２３の肌当接面側を覆っている（図５参照）。また、その折り返し部分２２Ｒは、全面的又は部分的に塗工された接着剤により内層シート２３及び／又は吸収性本体３の肌当接面に接合されている一方、接合部２６には融着されていない。
【００２９】
胴回り下部伸縮部Ｇ２においては、図６に示すように、外層シート２２と内層シート２３との間に伸長状態で配された弾性部材２４が収縮することにより、隣接する接合部列２６Ｐ間のシート２２及びシート２３が外方に膨らむように変形して、隣接する接合部列２６Ｓ間にシート２２又はシート２３からなる襞２９が生じると共に、両シート２２，２３間には、襞２９と襞２９とに周囲を囲まれた中空部３０が形成される。
【００３０】
また、本おむつ１におけるウエスト伸縮部Ｇ１及び／又は胴回り下部伸縮部Ｇ２には、弾性部材２４が、物品縦方向に隣り合う接合部２６どうし間に配され、接合部２６においてシート２２，２３に固着されていないため、シート２２又はシート２３により形成される襞２９は、外装体２が、厚み方向に加わる荷重に対して柔軟に変形する。
しかも、外装体２は、物品縦方向Ｘにおいて、接合部２６どうし間のみならず、個々の接合部２６における融着部ｕ，ｄ間の隙間ｍにおいても柔軟に屈曲する。そのため、外装体２の物品縦方向Ｘの形状が、着用者の腹部の形状に沿うように柔軟に変化するとともに、着用者の動き等により腹部の形状が変化したときにも、その変化に追従して柔軟に変化する。
本実施形態のおむつ１は、このような構成を有しており、外装体２が柔軟で、物品縦方向に沿う形状の変形性及び厚み方向の変形性に優れており、着用者が動き易く肌触りが良好であり、履き心地に優れている。
また、おむつ１の外面又は内面側に形成される襞２９，２９間の凹部が通気路として働き、おむつ１内の湿気を外部に逃がしやすく、ムレにくい。このような襞２９は、ウエスト伸縮部Ｇ１及び／又は胴回り下部伸縮部Ｇ２に、少なくとも自然状態において形成されることが好ましく、物品の着用状態においても、襞２９，襞２９間に形成される空間が維持されることが好ましい。
【００３１】
個々の接合部２６は、本実施形態のおむつ１のように、一対の融着部ｕ，ｍからなることが、弾性部材２４と交差して物品縦方向に延びる襞の形成性や、外装体の縦方向の柔軟性向上の点から好ましい。
【００３２】
おむつ１の各部の形成材料について説明すると、表面シート３１、裏面シート３２、吸収体３３及び立体ガード形成用シート３４等としては、それぞれ、この種の吸収性物品に従来用いられているものと同様のものを特に制限なく用いることができる。例えば、表面シート３１としては、液透過性の不織布や、開孔フィルム、これらの積層体等を用いることができ、裏面シート３２としては、樹脂フィルムや樹脂フィルムと不織布の積層体等を用いることができる。吸収体３３としては、パルプ等の繊維材料の繊維集合体からなる吸収性コア又はこれに高吸収性ポリマーを担持させた吸収性コアを、ティッシュペーパーや透水性の不織布等からなるコアラップシートで包んでなるもの等を用いることができる。立体ガード形成用シート３４としては、伸縮性のフィルム、撥水性の不織布、織物又はそれらの積層シート等を用いることができる。
【００３３】
外層シート２２及び内層シート２３を構成するシート材としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。なお、股下部Ｃにおける裏面シート３２の非肌当接面側にも、不織布やフィルム等からなる外装シートを配することもできる。
弾性部材２４，３５の形成材料としては、使い捨ておむつや生理用ナプキン等の吸収性物品に用いられる各種公知の弾性材料を特に制限なく用いることができる。弾性材料の形成素材のとしては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００３４】
以上、本発明をその好ましい実施形態に基づき説明したが、本発明は上述した実施形態に制限されず適宜変更可能である。
例えば、外装体は、腹側シート部材２Ａと背側シート部材２Ｂとに分割されていないものであっても良い。例えば、外装体は、外層シート２２及び内層シート２３それぞれが、腹側部Ａ、股下部Ｃ及び背側部Ｂに亘って連続する一枚のシートからなるものであっても良いし、外層シート２２が、腹側部Ａ、股下部Ｃ及び背側部Ｂに亘って連続する一枚のシートからなる一方、内層シート２３が、腹側部Ａ及び背側部Ｂの何れか一方のみに配されているものであっても良い。
また、胴回り下部伸縮部Ｇ２は、一方の側部域Ｓから他方の側部域Ｓに亘って連続して伸縮性を発現するものであっても良い。また、本発明のパンツ型吸収性物品は、ウエスト伸縮部Ｇ１と胴回り下部伸縮部Ｇ２の何れか一方のみを有するものであっても良い。また、本発明のパンツ型吸収性物品は、腹側部Ａ及び背側部Ｂの両方に、ウエスト伸縮部Ｇ１及び胴回り下部伸縮部Ｇ２を有するものに代えて、腹側部Ａ及び背側部Ｂの何れか一方のみに、ウエスト伸縮部Ｇ１及び胴回り下部伸縮部Ｇ２の一方又は双方を有するものであっても良い。
【００３５】
また、腹側部Ａ又は背側部Ｂにおける外装体２は、上述したおむつ１のように、外層シートを構成するシート材のみがウエスト開口部の周縁部で折り返されているものであっても良いが、外層シートを構成するシート材と内層シートを構成するシート材とが一体的に折り返されていても良いし、外層シート及び内層シートの何れもが折り返し部分を有していなくても良い。また、外層シート又は内層シートの折り返し部分は、上述したおむつ１とは異なる態様で相対向面に接合されていても良く、例えば、全域に亘って相対向面に接合されているもの等とすることもできる。
また、個々の接合部を構成する融着部の数、換言すれば、隣り合う弾性部材間に物品縦方向に並べて配置された融着部の個数は、２個に代えて３個以上とすることもできる。
【００３６】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００３７】
前述した本発明の実施形態（態様）に関し、更に以下の付記（パンツ型着用物品）を開示する。
＜１＞
外装体と、該外装体に固定されている吸収性本体とを具備し、
前記外装体は、着用時に、着用者の腹側に配される腹側部と、着用者の背側に配される背側部とを有するパンツ型吸収性物品であって、
前記パンツ型吸収性物品は縦方向と横方向を有しており、
腹側部及び背側部の少なくとも一方における外装体は、着用者の肌から遠い側に配される外層シートと、該外層シートよりも着用者の肌に近い側に配される内層シートと、その間に配された複数本の弾性部材とを有する伸縮部を備え、
前記伸縮部においては、前記外層シートと前記内層シートとの間が、物品縦方向に沿う接合部列が複数列形成されるように配置された接合部において接合され、複数本の前記弾性部材が、それぞれ、物品縦方向に隣り合う接合部どうしの間を通って物品横方向に配設されており、
前記接合部それぞれが、相互間に隙間を開けて物品縦方向に並んだ複数の融着部からなる、パンツ型吸収性物品。
【００３８】
＜２＞
前記接合部のそれぞれが、相互間に隙間を開けて物品縦方向に並んだ一対の融着部からなる、前記＜１＞に記載のパンツ型吸収性物品。
＜３＞
物品縦方向において、前記接合部の前記隙間の長さＬ５は、物品縦方向に隣り合う接合部どうし間の距離Ｌ６未満である、前記＜１＞又は＜２＞に記載のパンツ型吸収性物品。
＜４＞
前記長さＬ５の前記距離Ｌ６に対する比率は、好ましくは４０％以下、より好ましくは３５％以下であり、また好ましくは２５％以上、より好ましくは３０％以上である、前記＜３＞に記載のパンツ型吸収性物品。
＜５＞
前記接合部の前記隙間の長さＬ５は、好ましくは０．５ｍｍ以上、より好ましくは１．０ｍｍ以上であり、好ましくは３．０ｍｍ以下、より好ましくは２．０ｍｍ以下である、前記＜１＞〜＜４＞の何れか１に記載のパンツ型吸収性物品。
＜５＞
隣り合う弾性部材間の複数の前記融着部の物品縦方向の合計長さが、隣り合う弾性部材間の複数の前記融着部の物品縦方向の端部間距離の、好ましくは９０％以下、より好ましくは８０％以下であり、また好ましくは５０％以上、より好ましくは６０％以上であり、また好ましくは５０％以上９０％以下、より好ましくは６０％以上８０％以下である、前記＜１＞〜＜４＞の何れか１に記載のパンツ型吸収性物品。
＜６＞
前記外装体は、着用時に、着用者の腹側に配される腹側部と、着用者の背側に配される背側部とを有しており、腹側部における物品横方向の両端部と背側部における物品横方向の両端部とが接合されて、一対のサイドシール部、ウエスト開口部５及び一対のレッグ開口部が形成されている、前記＜１＞〜＜５＞の何れか１に記載のパンツ型吸収性物品。
＜７＞
前記接合部は、物品縦方向Ｘの長さＬ１が、物品幅方向Ｙの長さＬ２の、好ましくは２倍以上、より好ましくは７倍以上であり、また好ましくは１０倍以下、より好ましくは９倍以下である、前記＜１＞〜＜６＞の何れか１に記載のパンツ型吸収性物品。
＜８＞
前記接合部を構成する個々の融着部も、それぞれ、物品縦方向Ｘに長い形状を有する、前記＜１＞〜＜７＞の何れか１に記載のパンツ型吸収性物品。
＜９＞
前記融着部は、物品縦方向Ｘの長さＬ３が、物品幅方向Ｙの長さＬ４の、好ましくは１倍以上、より好ましくは２倍以上であり、また好ましくは４倍以下、より好ましくは５倍以下である、前記＜１＞〜＜８＞の何れか１に記載のパンツ型吸収性物品。
＜１０＞
前記接合部を構成する融着部ｕ，ｄのそれぞれにおいては、外層シート２２及び／又は内層シート２３を構成するシート材の構成樹脂（構成繊維の熱融着性成分等）が溶融固化して両シート２２，２３間が結合している、前記＜１＞〜＜９＞の何れか１に記載のパンツ型吸収性物品。
【００３９】
＜１１＞
前記接合部が、物品縦方向に並んだ一対の融着部ｕ，ｄからなる、前記＜１＞〜＜１０＞の何れか１に記載のパンツ型吸収性物品。
＜１２＞
前記外層シート２２及び前記内層シート２３を構成するシート材が、不織布である前記＜１＞〜＜１１＞の何れか１に記載のパンツ型吸収性物品。
＜１３＞
前記弾性部材が糸状の弾性部材である、前記＜１＞〜＜１２＞の何れか１に記載のパンツ型吸収性物品。
＜１４＞
前記外装体は、腹側シート部材と背側シート部材とに分割されている、前記＜１＞〜＜１３＞の何れか１に記載のパンツ型吸収性物品。
＜１５＞
前記外装体は、前記外層シート及び前記内層シートのそれぞれが、腹側部Ａ、股下部Ｃ及び背側部Ｂに亘って連続する一枚のシートからなる、前記＜１＞〜＜１３＞の何れか１に記載のパンツ型吸収性物品。
＜１６＞
前記外層シートが、腹側部Ａ、股下部Ｃ及び背側部Ｂに亘って連続する一枚のシートからなる一方、前記内層シートが、腹側部Ａ及び背側部Ｂの何れか一方のみに配されている、前記＜１＞〜＜１５＞の何れか１に記載のパンツ型吸収性物品。
＜１７＞
腹側部Ａ又は背側部Ｂにおける外装体は、外層シートを構成するシート材のみがウエスト開口部の周縁部で折り返されている、前記＜１＞〜＜１６＞の何れか１に記載のパンツ型吸収性物品。
＜１８＞
腹側部Ａ又は背側部Ｂにおける外装体は、外層シートを構成するシート材と内層シートを構成するシート材とが一体的に折り返されている、前記＜１＞〜＜１６＞の何れか１に記載のパンツ型吸収性物品。
＜１９＞
腹側部Ａ又は背側部Ｂにおける外装体は、外層シート及び内層シートの何れもが折り返し部分を有していない、前記＜１＞〜＜１６＞の何れか１に記載のパンツ型吸収性物品。
＜２０＞
パンツ型吸収性物品は、幼児又は成人用のパンツ型使い捨ておむつである、前記＜１＞〜＜１９＞の何れか１に記載のパンツ型吸収性物品。
＜２１＞
パンツ型吸収性物品は、パンツ型の生理用ナプキンである、前記＜１＞〜＜１９＞の何れか１に記載のパンツ型吸収性物品。
【符号の説明】
【００４０】
１  パンツ型使い捨ておむつ（パンツ型吸収性物品）
２  外装体
２Ａ  腹側シート部材
２Ｂ  背側シート部材
２２  外層シート
２３  内層シート
２２Ｒ  折り返し部分
２４  弾性部材
２６  接合部
２６Ｓ  接合部列
２６Ｐ  接合部列
２７  外側固定領域
２８  本体側固定領域
２９  襞
３０  中空部
３  吸収性本体
３１  表面シート
３２  裏面シート
３３  吸収体
３４  立体ガード
３５  弾性部材
４  サイドシール部
５  ウエスト開口部
５１  周縁部
６  レッグ開口部
Ａ  腹側部
Ｂ  背側部
Ｃ  股下部
Ｄ  胴回り部
Ｇ１  ウエスト伸縮部
Ｇ２  胴回り下部伸縮部
【図１】
2015112414.tif 000003
【図２】
2015112414.tif 000004
【図３】
2015112414.tif 000005
【図４】
2015112414.tif 000006
【図５】
2015112414.tif 000007
【図６】
2015112414.tif 000008